(57)【要約】【課題】圧縮機で発生する騒音の低周波成分を効果的に低減できる空気調和機の室外機を提供する。【解決手段】圧縮機１１およびアキュムレータ１２に吸音材８１を巻き付けるとともに、側面パネル４６の内壁面に吸遮音材８２を配置し、吸音材８１と吸遮音材８２との間に空気層１００を設けた。吸音材８１は、繊維やグラスウールといった、騒音の高周波成分を吸音しやすい低密度の材料で形成されている。一方、吸遮音材８２は、２枚の吸音材８２ａと１枚の遮音材８２ｂからなり、２枚の吸音材８２ａはともに吸音材８１と同じ材料で形成されている。また、遮音材８２ｂは、塩化ビニルやゴム材などの吸音材８１や吸音材８２ａを形成する材料より高密度の材料で形成されている。遮音材８２ｂの表面および裏面の各々に吸音材８２ａを貼り付けて、吸遮音材８２とされている。【選択図】図１
2019100658.tif 000002
【特許請求の範囲】
【請求項１】
筐体内部に圧縮機と、第１騒音低減部材と、第２騒音低減部材とが配置され、
前記第１騒音低減部材は、吸音材で形成されて前記圧縮機の周りを囲むように配置され、
前記第２騒音低減部材は、吸音材と遮音材で形成されて前記筐体の内壁面に配置され、
前記第１騒音低減部材と前記第２騒音低減部材との間に空気層を設ける、
ことを特徴とする空気調和機の室外機。
【請求項２】
前記第２騒音低減部材は、前記圧縮機から前記筐体の内壁面に向かって吸音材、遮音材の順に配置されるように形成されている、
ことを特徴とする請求項１に記載の空気調和機の室外機。
【発明の詳細な説明】
【技術分野】
【０００１】
本発明は、空気調和機の室外機に関するもので、特に圧縮機の騒音低減に関する。
【背景技術】
【０００２】
空気調和機の室外機には、その内部に圧縮機や熱交換器、送風ファンなどが設置されている。これらの中で特に圧縮機は大きな騒音を発生するため、発生する騒音を低減する防音対策が必要となる。通常、圧縮機は、室外機の筐体内部に設けられる機械室や防音筐体に格納される。そして、防音対策としては、圧縮機に吸音材を巻き付けるとともに、圧縮機が格納される機械室や防音筐体の内壁面にも吸音材を配置する方法が一般的である。
【０００３】
例えば、特許文献１に記載の空気調和機の室外機は、圧縮機を板金からなる防音筐体の内部に配置し、圧縮機に吸音材を巻き付けるとともに、防音筐体の内壁面にも吸音材を配置している。これにより、圧縮機で発生する騒音は、防音筐体によって遮音されるとともに、吸音材によって吸音されるため、室外機の筐体外部に漏れる騒音が低減される。尚、吸音材には、一般的に繊維やグラスウールなどの低密度の材料がよく用いられる。
【０００４】
また、上述した吸音材に加えて、吸音材より高密度の材料、例えば塩化ビニルやゴム材などで形成したシートを遮音材として用いる方法もある。例えば、吸音材と遮音材とを貼り合わせたもの（以降、吸遮音材と記載する）を、圧縮機に巻き付けるとともに圧縮機が格納される機械室や防音筐体の内壁面にも配置する。吸遮音材を用いることで、遮音材で騒音が遮音されるとともに、吸音材に吸音しきれずに遮音材に到達した騒音が遮音材で反射して再び吸音材を通過する際に吸音されるので、吸音材を単体で使用する場合と比べてより騒音を低減することができる。
【先行技術文献】
【特許文献】
【０００５】
【特許文献１】特開２０１１−１１２３２３号公報
【発明の概要】
【発明が解決しようとする課題】
【０００６】
上述した吸音材や吸遮音材は、騒音の高周波成分（主に、周波数が１ｋＨｚ以上の騒音）を吸音しやすい反面、騒音の低周波成分（主に、周波数が５００Ｈｚ以下の騒音）を吸音しにくいという吸音特性を有している。従って、吸音材や吸遮音材で吸音あるいは遮音されなかった騒音の低周波成分が、室外機の筐体外部に漏れる可能性がある。また、騒音の高周波成分は、吸音材や吸遮音材で吸音あるいは遮音されて高周波成分の騒音レベルが低下するため、相対的に騒音の低周波成分が目立つようなる。つまり、騒音の低周波成分を十分に低減することができず、人に不快感を与える可能性があった。
【０００７】
本発明は以上述べた問題点を解決するものであって、圧縮機で発生する騒音の低周波成分を効果的に低減できる空気調和機の室外機を提供することを目的とする。
【課題を解決するための手段】
【０００８】
上記の課題を解決するために、本発明の空気調和機の室外機は、筐体内部に圧縮機と第１騒音低減部材と第２騒音低減部材とが配置され、第１騒音低減部材は、吸音材で形成されて圧縮機の周りを囲むように配置され、第２騒音低減部材は、吸音材と遮音材で形成されて筐体の内壁面に配置される。そして、第１騒音低減部材と第２騒音低減部材との間に空気層を設ける。
【発明の効果】
【０００９】
上記のように構成した本発明の空気調和機の室外機は、第１騒音低減部材と第２騒音低減部材とを空気層を隔てて配置することで、圧縮機で発生する騒音の低周波成分を効果的に低減できる。
【図面の簡単な説明】
【００１０】
【図１】本発明の実施形態における、室外機の概略図であり、（Ａ）は外観斜視図、（Ｂ）は室外機の内部を上方から見た図面である。
【図２】５００Ｈｚ以下の騒音レベルの測定結果を示す図面である。
【図３】本発明の他の実施形態における、室外機の内部を上方から見た図面であり、（Ａ）は第２の実施形態、（Ｂ）は第３の実施形態をそれぞれ示す図面である。
【発明を実施するための形態】
【００１１】
以下、本発明の実施の形態を、添付図面に基づいて詳細に説明する。実施形態としては、筐体の前面に吹出口を備え、筐体内部が仕切り板によって機械室と熱交換器室に仕切られた室外機を例に挙げて説明する。尚、本発明は以下の実施形態に限定されることはなく、本発明の主旨を逸脱しない範囲で種々変形することが可能である。
【実施例１】
【００１２】
＜室外機の構成＞
図１に示すように、室外機１は、天面パネル４１と、前面パネル４２と、前面側支柱４３と、背面側支柱４４と、背面パネル４５と、側面パネル４６と、底板４７と、仕切板４８とで構成される直方体形状の筐体４０を有する。尚、以下の説明では、図１に示すＸ方向を室外機１の左右方向、Ｙ方向を室外機１の前後方向、Ｚ方向を室外機１の上下方向とする。
【００１３】
天面パネル４１は板金で形成され、筐体４０の天面を覆うように配置されている。天面パネル４１の周縁部は下方に折り曲げられており、天面パネル４１の下方に折り曲げられた周縁部には、前面パネル４２、前面側支柱４３、背面側支柱４４、背面パネル４５、側面パネル４６の各々の上端がねじ止めされる。
【００１４】
前面パネル４２は板金で形成され、室外機１の前面を覆うように配置されている。前面パネルのうちの後述する熱交換器室３の前面に配置される箇所には、筐体４０の内部と外部を連通する吹出口６１が設けられている。吹出口６１の前面には、鉄材もしくは樹脂材で格子状に形成されたファンガード４９が配置されている。
【００１５】
前面側支柱４３は板金をＬ字状に折り曲げて形成され、室外機１の前面の左端に配置されている。また、背面側支柱４４は板金をＬ字状に折り曲げて形成され、室外機１の背面の左端に配置されている。また、背面パネル４５は板金で形成され、室外機１の背面のうちの後述する機械室２の背面の一部を覆うように配置されている。そして、図１（Ｂ）に示すように、前面側支柱４３と背面側支柱４４の間、および、背面側支柱４４と背面パネル４５の左端の間が、筐体４０の内部と外部を連通する吸込口６２とされている。
【００１６】
側面パネル４６は板金で形成され、室外機１の右側面を覆うように配置されている。底板４７の周縁部は上方に折り曲げてられており、底板４７の上方に折り曲げられた周縁部には、前面パネル４２、前面側支柱４３、背面側支柱４４、背面パネル４５、側面パネル４６の各々の下端がねじ止めされる。
【００１７】
仕切板４８は板金を略くの字状に折り曲げて形成されており、仕切板４８の前端が前面パネル４２に、仕切板４８の下端が底板４７にそれぞれネジ止めされる。図１（Ｂ）に示すように、仕切板４８は、筐体４０の内部を機械室２と熱交換室３に仕切る。
【００１８】
機械室２には、圧縮機１１とアキュムレータ１２とが配置されており、アキュムレータ１２は圧縮機１１に金具などで固定されている。尚、機械室２には、上記圧縮機１１とアキュムレータ１２以外にも、空気調和機の冷媒回路を構成する四方弁や膨張弁、制御基板や電源基板を格納する電装品箱、などが配置されているが、図１（Ｂ）では図示を省略している。
【００１９】
熱交換室３には、Ｌ字状に形成された熱交換器１３が、２つの吸込口６２に臨むように配置されている。また、熱交換室３には、図示しないファンモータの駆動軸に中心部が固定された送風ファンが、吹出口６１に臨むように配置されている。
【００２０】
以上説明した室外機１では、圧縮機１１と、アキュムレータ１２と、熱交換器１３と、図示しない四方弁や膨張弁が、図示しない冷媒配管で相互に接続されている。そして、圧縮機１１の駆動により熱交換器１３を流れる冷媒と、送風ファン１４の回転によって２つの吸込口６２から筐体４０の内部に流入して熱交換器１３に流入する外気とが熱交換器１３で熱交換し、冷媒によって加熱あるいは冷却された外気が、筐体４０の内部から吹出口６１を介して筐体４０の外部へ流出する。
【００２１】
＜吸音材と吸遮音材＞
上記のように熱交換器に冷媒を流すために圧縮機１１を駆動すると、圧縮機１１から騒音が発生する。本実施形態の室外機１では、以下に説明する吸音材８１と吸遮音材８２とを用いて、圧縮機１１で発生する騒音を低減する。尚、吸音材８１が本発明の第１騒音低減部材であり、吸遮音材８２が本発明の第２騒音低減部材である。
【００２２】
吸音材８１は、繊維やグラスウールといった、騒音の高周波成分（主に、周波数が１ｋＨｚ以上の騒音。以降、必要な場合を除いて単に「高周波成分」と記載する）を吸音しやすい低密度の材料で形成されている。吸音材８１は板状に形成され、その長さは、図１（Ｂ）に示すように圧縮機１１とアキュムレータ１２に巻き付けた際に、圧縮機１１とアキュムレータ１２の側面部を覆うことができる寸法とされている。尚、吸音材８１の厚さ寸法は、例えば１０ｍｍである。
【００２３】
吸遮音材８２は、２枚の吸音材８２ａと１枚の遮音材８２ｂからなり、遮音材８２ｂの表面と裏面の各々に吸音材８２ａを貼り付けた３層構造に形成される。２枚の吸音材８２ａはともに吸音材８１と同様の材料で形成されている。また、遮音材８２ｂは、塩化ビニルやゴム材などの吸音材８１や吸音材８２ａを形成する材料より高密度の材料で形成されている。吸音材８２ａと遮音材８２ｂとは、厚さ寸法を除いて同じ縦寸法および横寸法の四角形状に形成されており、縦寸法と横寸法とは、側面パネル４６の内壁面を略覆うことができる寸法とされている。尚、２枚の吸音材８２ａの厚さ寸法は、例えばそれぞれ３ｍｍ、遮音材８２ｂの厚さ寸法は、例えば１ｍｍである。この場合、吸遮音材８２の厚さ寸法は７ｍｍとなる。
【００２４】
図１（Ｂ）に示すように、上述した吸音材８１は圧縮機１１およびアキュムレータ１２に巻き付けられ、吸遮音材８２は側面パネル４６の内壁面に貼り付けられる。また、このように吸音材８１と吸遮音材８２をそれぞれ配置した際に、吸音材８１と吸遮音材８２とは接触せずその間には空気層１００が形成されるように、機械室２における圧縮機１１とアキュムレータ１２の配置と、吸音材８１および吸遮音材８２の各厚さ寸法が、それぞれ決定されている。
【００２５】
尚、吸遮音材８２を側面パネル４６の内壁面に配置する理由は、以下の通りである。
【００２６】
室外機１の筐体４０の右側（側面パネル４６の外側）と、筐体４０の左側（熱交換器室３の左側に設けられている吸込口６２の外側）と、筐体４０の前側（前面パネル４２の外側）と、筐体４０の後側（背面パネル４５および背面側に設けられている吸込口６２の外側）とでは、圧縮機１１で発生して外側に漏れてくる騒音のレベルはそれぞれ異なる。まず、騒音の音源である圧縮機１１からの距離が一番遠く、間に仕切り板４８や熱交換器１３が介在する筐体４０の左側に漏れる騒音レベルは、他の３方向と比べると小さい。
【００２７】
また、筐体４０の前側では、圧縮機１１と筐体４０の前側との間に前面パネル４２しか介在しないが、筐体４０の前側には送風ファン１４の駆動で発生する騒音も漏れるため、圧縮機１１で発生した騒音が目立ちにくくなる。また、筐体４０の後側では、圧縮機１１と筐体４０の後側との間に背面パネル４５と仕切り板４８と熱交換器１３が配置されているため、筐体４０の後側に漏れる騒音レベルは筐体４０の前側よりは小さくなる。
【００２８】
以上説明した筐体４０の左側、前側、および後側と比べて、筐体４０の右側は圧縮機１１からの距離も近く、また、圧縮機１１と筐体４０の右側との間には側面パネル４６しか介在しない。従って、筐体４０の右側に漏れる騒音レベルは大きく、人に不快感を与える可能性が高いと考えられる。以上記載したことを勘案し、本実施形態の室外機１では、吸遮音材８２を側面パネル４６の内壁面のみに貼り付け、側面パネル４６の内壁面以外の機械室２の他の内壁面には吸遮音材８２を配置しない。
【００２９】
＜吸音材と吸遮音材による騒音の低周波成分の低減効果＞
次に、図１（Ｂ）に示す吸音材８１および吸遮音材８２の配置により得られる、圧縮機１１で発生する騒音の低周波成分の低減効果について、図２を用いて説明する。図２に示すのは、室外機１の筐体４０の側面パネル４６から所定の距離をおいて筐体４０の外側に設置した騒音測定用のマイクで測定した、周波数が５００Ｈｚまでの周波数毎の騒音レベルと、各周波数での騒音レベルの総和である合計騒音レベル（図２では「Ｏ．Ａ（ＯｖｅｒＡｌｌ  Ｌｅｖｅｌ）と記載」の測定結果である。
【００３０】
図２において、縦軸は騒音レベル（単位：ｄＢ）を示し、横軸は図示しない騒音測定用のマイクで測定した騒音を、１／３オクターブバンドパスフィルタを用いてオクターブ分析したうちの８０Ｈｚ〜５００Ｈｚまでの９つの各周波数（単位：Ｈｚ）を示している。つまり、図２は、騒音測定用のマイクで測定した騒音のうちの、８０Ｈｚ〜５００Ｈｚまでの各周波数での騒音レベルを表している。
【００３１】
また、図２では、合計騒音レベルを横軸の右端（５００Ｈｚの右側に縦軸に平行に描画した線の右側）に記載している。合計騒音レベルは、８０Ｈｚ〜５００Ｈｚまでの各周波数での騒音レベルを、以下に示す数式に代入して算出した値である。
合計騒音レベル＝１０ｌｏｇ（１０Ｌ１／１０＋１０Ｌ２／１０＋・・・＋１０Ｌ９／１０）
Ｌ１〜Ｌ９：８０Ｈｚ〜５００Ｈｚまでの各周波数での騒音レベル
【００３２】
また、図２における「本願」とは、吸音材８１および吸遮音材８２を図１（Ｂ）に示すように配置したときの、周波数毎および合計の騒音レベルであり、白抜きの棒グラフで表している。一方、「従来」とは、図１（Ｂ）の吸音材８１に代えて、吸遮音材８２と同じ２枚の吸音材８２ａと遮音材８２ｂとで構成される吸遮音材を圧縮機１１およびアキュムレータ１２に巻き付けたときの、周波数毎および合計の騒音レベルであり、黒塗りの棒グラフで表している。
【００３３】
尚、図２の騒音測定結果を得た際の測定条件は次の通りである。まず、騒音測定用のマイクの位置は、左右方向は側面パネル４６から２５ｃｍ離れた位置とし、上下方向および前後方向はそれぞれの中心部に合わせた位置としている。また、騒音を測定する際の圧縮機１１の回転数を８０ｒｐｓ、送風ファン１４の回転数を８２０ｒｐｍとし、騒音測定用のマイクで検出した騒音から送風ファン１４で発生する騒音（事前に送風ファン１４のみ駆動して測定しておく）を減じて、圧縮機１１の騒音レベルとしている。
【００３４】
図２に示す測定結果によれば、周波数が８０Ｈｚ、１００Ｈｚ，１６０Ｈｚ、３１５Ｈｚ、４００Ｈｚ，および５００Ｈｚの各々において「本願」の騒音レベルが「従来」の騒音レベルよりも低い値となっており、特に周波数が３１５Ｈｚではその差が約１３ｄＢとなっている。一方で、周波数が１２５Ｈｚ，２００Ｈｚ、および２５０Ｈｚの各々において「本願」の騒音レベルが「従来」の騒音レベルよりも高い値となっているが、その差は１〜２ｄＢ程度である。そして、前述した数式を用いて算出した合計騒音レベルは、「従来」が５１．２ｄＢ、「本願」が４５．１ｄＢであり、「本願」の合計騒音レベルが「従来」の合計騒音レベルより６．１ｄＢ低い。
【００３５】
騒音の音源に本実施形態の吸音材８１のように低密度の吸音材を設け、騒音の音源から見て吸音材の外側に空気層を設けると、騒音の低周波成分を低減できることがわかっている（例えば、日本音響学会会誌５９巻２号（２００３）の１７７〜１８０ページに掲載された、「背後空気層が吸音材の吸音特性に及ぼす影響に関する研究」を参照）。本実施形態においては、騒音の音源が圧縮機１１であり、吸音材８１の外側に空気層１００を介して吸遮音材８２や側面パネル４６が配置されているため、騒音の低周波成分が低減されると考えられる。
【００３６】
そして、図２の測定結果に示したように、「従来」のように圧縮機１１に巻き付けるものも、側面パネル４６の内壁面に配置するものも全て吸遮音材とする場合より、圧縮機１１に巻き付けるものを吸音材８１のみとし、側面パネル４６の内壁面に配置するものを吸遮音材８２としたほうが、空気層１００を設けた際の騒音の低周波成分の低減効果が大きいことを見出した。
【００３７】
以上説明したように、本実施形態の空気調和機の室外機１は、圧縮機１１およびアキュムレータ１２に吸音材８１を巻き付けるとともに、側面パネル４６の内壁面に吸遮音材８２を配置し、吸音材８１と吸遮音材８２との間に空気層１００を設けた。これにより、圧縮機１１で発生する騒音の低周波成分が低減されて室外機１の筐体４０から右側に漏れる騒音の低周波成分が少なくなるので、人に与える不快感を低減できる。
【００３８】
また、吸遮音材８２を側面パネル４６の内壁面に配置した際は、側面パネル４６の内壁面に接するのが吸音材８２ａであるため、吸遮音材８２が振動して側面パネル４６の内壁面と当たってもその当たり音が発生しない。尚、本実施形態では、吸音材８２ａと遮音材８２ｂとが、厚さ寸法を除いて同じ寸法としているが、遮音材８２ｂを吸音材８２ａより少し小さく、例えば縦横寸法をともに１ｃｍずつ小さくしてもよい。遮音材８２ｂを吸音材８２ａより小さくすれば、吸遮音材８２の上下端もしくは左右端が筐体４０の天面パネル４１や底板４６、前面パネル４２などに接触しても、吸遮音材８２の振動に起因する当たり音が発生しない。
【実施例２】
【００３９】
次に、本発明の第２の実施形態について、図３（Ａ）を用いて説明する。本実施形態と第１の実施形態との違いは、圧縮機１１およびアキュムレータ１２に巻き付ける吸音材８１と、側面パネル４６の内壁面に貼り付ける吸遮音材８２に加えて、仕切り板４８における圧縮機１１およびアキュムレータ１２の後側に位置する箇所（以降、仕切り板４８の後側と記載する）にも、吸遮音材８３を配置することである。尚、吸遮音材８２および吸遮音材８３が本発明の第２騒音低減部材である。
【００４０】
吸遮音材８３は、吸遮音材８２と縦寸法および横寸法が異なるだけで、厚さ寸法と構成は同じである。すなわち、吸遮音材８３は、２枚の吸音材８３ａと１枚の遮音材８３ｂからなり、仕切り板４８の後側に貼り付けられている。吸遮音材８３は、遮音材８３ｂの表面と裏面の各々に吸音材８３ａを貼り付けた３層構造に形成される。２枚の吸音材８３ａはともに吸音材８１と同じ材料で形成されている。また、遮音材８３ｂは、塩化ビニルやゴム材などの吸音材８１や吸音材８３ａを形成する材料より高密度の材料で形成されている。吸音材８３ａと遮音材８３ｂとは、厚さ寸法を除いて同じ縦寸法および横寸法の四角形状に形成されており、縦寸法と横寸法とは、仕切り板４８の後側を覆うことができる寸法とされている。尚、２枚の吸音材８３ａの厚さ寸法は例えばそれぞれ３ｍｍ、遮音材８３ｂの厚さ寸法は例えば１ｍｍである。この場合、吸遮音材８３の厚さ寸法は７ｍｍとなる。
【００４１】
第１の実施形態で記載したように、筐体４０の後側は人が存在する可能性は低いものの、筐体４０の後側に漏れる騒音のレベルは大きい。そこで、本実施形態では、仕切り板４８の後側の内壁面（機械室２に臨む面）にも吸遮音材８３を配置し、また、吸音材８１と吸遮音材８２との間に形成した空気層１００と同様に、吸音材８１と吸遮音材８３との間にも空気層２００が形成されるように、機械室２における圧縮機１１とアキュムレータ１２の配置と、吸音材８１、吸遮音材８２、および吸遮音材８３の各厚さ寸法が、それぞれ決定されている。これにより、筐体４０の後側に漏れる騒音の低周波成分も低減することができる。
【実施例３】
【００４２】
次に、本発明の第３の実施形態について、図３（Ｂ）を用いて説明する。本実施形態と第１の実施形態あるいは第２の実施形態との違いは、吸遮音材を側面パネル４６の内壁面にのみ配置する、あるいは、吸遮音材を側面パネル４６の内壁面と仕切り板４８の後側とに配置するのではなく、機械室２の内壁面全てを覆うように吸遮音材８４を配置することである。尚、吸遮音材８４が本発明の第２騒音低減部材である。
【００４３】
吸遮音材８４は、吸遮音材８２や吸遮音材８３と縦寸法および横寸法が異なるだけで、厚さ寸法と構成は同じである。すなわち、吸遮音材８４は、２枚の吸音材８４ａと１枚の遮音材８４ｂからなり、機械室２の内壁面全てを覆うように、かつ、吸音材８１との間に空気層３００を介在するように配置されている。吸遮音材８４は、遮音材８４ｂの表面と裏面の各々に吸音材８４ａを貼り付けた３層構造に形成される。２枚の吸音材８４ａはともに吸音材８１と同じ材料で形成されている。また、遮音材８４ｂは、塩化ビニルやゴム材などの吸音材８１や吸音材８４ａを形成する材料より高密度の材料で形成されている。吸音材８４ａと遮音材８４ｂとは、厚さ寸法を除いて同じ縦寸法および横寸法の四角形状に形成されており、縦寸法と横寸法とは、機械室２の内壁面全てを覆うことができる寸法とされている。尚、２枚の吸音材８４ａの厚さ寸法は例えばそれぞれ３ｍｍ、遮音材８４ｂの厚さ寸法は例えば１ｍｍである。この場合、吸遮音材８４の厚さ寸法は７ｍｍとなる。
【００４４】
以上説明したように、機械室２の内壁面全てを覆うように吸遮音材８４を配置し、かつ、空気層３００が形成されるように、機械室２における圧縮機１１とアキュムレータ１２の配置と、吸音材８１および吸遮音材８４の各厚さ寸法が、それぞれ決定されている。これにより、筐体４０の前側、後側、右側、および左側の各方向において、筐体４０から漏れる圧縮機１１の騒音の低周波成分を低減することができ、より静粛性の高い室外機１を実現できる。
【００４５】
尚、以上説明した各実施形態においては、吸遮音材８２〜８４は全て２枚の吸音材で遮音材を挟み込んだ３層構造を有するものとして説明した。しかし、本発明はこれに限られるものではなく、１枚の吸音材と１枚の遮音材を貼り合わせた２層構造の吸遮音材であってもよい。但し、２層構造の吸遮音材とする場合は、騒音の高周波成分を効果的に吸音あるいは遮音するために、圧縮機１１から筐体４０の内壁面に向かって吸音材、遮音材の順となるように、吸遮音材を配置する。２層構造の吸遮音材を設けた場合は、３層構造の吸遮音材と比べて吸音材が少なくなる分だけ騒音の高周波成分の吸音効果が小さくなる反面、コストが安価になるというメリットがある。
【００４６】
また、以上説明した各実施形態においては、吸音材８１を圧縮機１１とアキュムレータ１２に巻き付けるものとして説明した。しかし、室外機１がアキュムレータ１２を有しない場合は、吸音材８１を圧縮機１１のみに巻き付ければよい。
【符号の説明】
【００４７】
１  室外機
２  機械室
１１  圧縮機
１２  アキュムレータ
１３  熱交換器
１４  送風ファン
４２  前面パネル
４５  背面パネル
４６  側面パネル
８１  吸音材
８２  吸遮音材
８２ａ  吸音材
８２ｂ  遮音材
８３  吸遮音材
８３ａ  吸音材
８３ｂ  遮音材
８４  吸遮音材
８４ａ  吸音材
８４ｂ  遮音材
１００、２００、３００  空気層
【図１】
2019100658.tif 000003
【図２】
2019100658.tif 000004
【図３】
2019100658.tif 000005